(57)【要約】すべてが一体型の組合せにあり、カメラに容易に取付け可能であり、またはカメラから容易に取外し可能である取付け部材（９０）、追加のレンズ（４９）、遮光材として２役を果すレンズカバー（１０）、および追加の遮光材構成要素（１２）を有するカメラレンズ付属物（５）。
2005523471.tif 000002
【特許請求の範囲】
【請求項１】
カメラレンズ用の一体型レンズ付属物、遮光材、およびカバー装置であって、
カメラの前記レンズの正面に取り付けられるように適合されたフレーム要素と、
前記フレーム要素に枢動可能に取り付けられ、追加の光学付属物を受け入れるように適合されたレンズハウジングと、
前記フレーム要素に枢動可能に取り付けられ、前記フレーム要素に対して可動なカバー部材とを備える装置。
【請求項２】
前記フレーム要素が、前記装置をカメラに螺合可能に取り付けるための螺合付属物リング部分と、前記レンズハウジングおよび前記カバー部材を結合するヒンジ組立体とを含む、請求項１に記載の装置。
【請求項３】
前記カバー部材が、前記レンズの軸の周りで、前記フレーム要素に対して回動可能であり、それによって、前記レンズカバーが、様々な角度位置を取ることができる、請求項２に記載の装置。
【請求項４】
前記フレーム要素が、単独かつ別々に枢動可能に、前記フレーム要素に連結された追加の構成要素を支持するように適合された、請求項１に記載の装置。
【請求項５】
前記フレーム要素が、カメラの対応する螺合付属物リングに前記装置を取り付けるように適合された螺合部分を含む、請求項１に記載の装置。
【請求項６】
前記カメラ付属物リングに対する前記フレーム要素の相対位置が、様々な角度位置の中で調節可能に回動できる、請求項５に記載の装置。
【請求項７】
前記フレーム要素をカメラ付属物リング上に確実に固定することを可能にするために、前記フレーム要素が、前記フレーム要素の周囲に位置する少なくとも１つの固定用切欠き部を含む、請求項１に記載の装置。
【請求項８】
前記カバー要素、フレーム要素、およびレンズハウジング要素のうちの少なくとも１つの周囲に取り付けられた少なくとも１つの磁性構成要素をさらに含み、前記磁性構成要素が、前記遮光材および前記レンズハウジング要素の所望の相対位置を維持する働きをする、請求項１に記載の装置。
【請求項９】
追加の遮光材構成要素をさらに含み、当該追加の遮光材構成要素が、前記遮光材の有効寸法および有効範囲を増すための展開可能パネルを有する、請求項１に記載の装置。
【請求項１０】
前記追加の遮光材構成要素が、前記カメラレンズの光軸の上と同様に、両側で光から前記カメラレンズを遮るように位置決めされる、請求項９に記載の装置。
【発明の詳細な説明】
【技術分野】
【０００１】
本発明は、一般にカメラレンズ付属物に関し、より詳細には、フィルタ、レンズ組立体、レンズ保護カバー、および位置可変の遮光材（日よけ）を好都合に使用し、持ち運ぶことのできるレンズ付属物組立体に関する。
【背景技術】
【０００２】
現在使用されている大抵のカメラは、ビデオであろうとスチルであろうと、そのレンズ組立体の一部として、レンズ組立体の末端に螺合式の円筒状付属リングを備え、フィルタ、追加のレンズ、レンズ保護カバー、遮光材等を取り付けることができる。
【０００３】
この従来の設計に固有の主な難点の１つは、使用していない時、カメラの使用者がフィルタ、レンズ、または他のそのような付属物を取り外して保管または携帯しなければならないことである。このように付属物を繰り返し取り付け、取り外すことは、不都合であり時間がかかる。
【０００４】
動画撮影または写真撮影の過程で、撮影者は、しばしば、日光または他の光が直接レンズに当たるのを遮断するための遮光材（日よけ）を必要としている。遮光材は、本当に効果的であるために、レンズに対して所望の角度および方向で位置決めすることが可能でなければならない。本発明のレンズ付属物は、遮光材をレンズの周囲で選択的に、またレンズに対して所望の角度で、位置決めすることを可能にする。
【０００５】
撮影が完了すると、撮影者は、レンズカバーを使用し、カメラのレンズを破損や汚れから保護する必要がある。この大量のレンズカバー、遮光材、レンズ付属物、フィルタ等によって、撮影者は、複数の付属物からなる実際のコレクションを携帯し、保管する負担を課せられることになる。
【０００６】
本発明のレンズ付属物は、使用するために特定の要素が必要とされたとき、カメラ本体に取外し可能に結合することができ、様々な位置で広げることのできる好都合な構成で、これらの多数要素の組合せを提供する。
【０００７】
本発明は、ビューカメラとビデオカムコーダ（ビデオカメラ）に等しく適用することができることを理解されたい。本明細書で、どちらかの用語を使用する時は、他方の用語をも含むものとする。
【発明の開示】
【発明が解決しようとする課題】
【０００８】
本発明の目的は、従来のカメラ付属物システムに固有の、数多くの欠点を克服すると同時に、撮影者が、カメラレンズ、および選択した付属物に、迅速かつ好都合にアクセスできるようにする改良されたカメラレンズ付属物を提供することである。
【０００９】
本発明の他の目的は、所望のレンズ付属物の取付け、または取外しを容易かつ迅速にすることである。そのようなレンズ付属物は、広角アダプター、ズームスルーコンバータ、近焦点色収差補正ディオプター（close-focus achromatic diopter）、または、よく知られている様々なレンズ付属物のうちの他のものとしても良い。
【００１０】
本発明の他の目的は、撮影者がレンズカバーを保管するための別個のカメラケースを携帯することを必要とせずに、撮影者が、レンズ保護カバーを容易に装着し、または取り外すことを可能にすることである。
【００１１】
本発明の他の目的は、レンズを日光または他の光源から遮蔽するのに使用することのできる遮光材を撮影者に提供することである。さらに、この遮光材は、レンズの軸の周りで、レンズ周囲の所望の任意の位置に回転することができる好都合な機能を備える。さらに、この遮光材は、その能力および機能を高めるために様々な角度で位置決めすることが可能である。
【００１２】
代替的な構成としては、本発明のレンズ付属物に、追加の遮光材構成要素を取り付けることができる。そのような遮光材は、任意の状況に合わせて回転させ、調節できるように、取付けフレームに結合することができる。
【００１３】
本発明の追加の目的および利点が、この説明が進むにつれて、明らかになるであろう。
【課題を解決するための手段】
【００１４】
本発明の一体型レンズ取付けデバイスは、３つの主な要素を備える。第１は、ビデオカメラまたはスチルカメラのレンズに取り付けるための螺合付属物リングを組み込むフレーム要素である。第２は、追加のレンズ、フィルタ、または他のそのような付属物を設けるためのレンズハウジングである。第３は、レンズ保護カバー、および位置可変の遮光材として、二重の機能を果すカバー構成要素である。
【００１５】
レンズハウジングおよびカバー構成要素は、フレーム要素の縁に、ヒンジで取り付けられる。追加の遮光材構成要素を、別々に、フレームに様々な位置で、ヒンジで取り付けることもできる。デバイスカバーおよびレンズハウジングは、ヒンジ結合でフレーム要素の縁に、枢動可能に取り付けることができる。
【００１６】
フレーム要素は、螺合付属物リングによって、カメラレンズの端部に取り付けることができる。付属物リングに対するフレームの位置は調節可能である。フレーム要素を回動させ、レンズカバーおよび遮光材をレンズの周囲の別の位置に移すことができる。
【００１７】
フレーム要素には、その周囲に、少なくとも１つの固定用切欠き部を備えることができる。そのような切欠き部は、フレームが、カメラレンズの付属物リング上に確実に固定されることを可能にする。
【００１８】
本発明の他の構成では、小型磁石を、デバイスカバー（または遮光材）、フレーム要素、およびレンズハウジングの周囲に沿った様々な位置に追加することができる。このような磁石の存在は、遮光材およびレンズハウジングが所望の開いた、または閉じた位置でとどまる能力を提供する上で助けとなる。
【００１９】
本発明の他の実施形態では、組立体にヒンジで取り付けることのできる追加の遮光材構成要素を、遮光材の有効寸法および有効範囲を拡大するために展開（拡張）することができるパネルと共に装備することができる。このようなパネルは、遮光材に結合し、展開可能にすることができる。パネルは、枢動ピンによって遮光材に連結することができる。保持ピンは、パネルの軌道を経て遮光材から突出し、パネルを保持しその経路に沿って案内することができる。
【００２０】
以下の詳細な記述を、添付図と併せて考慮すれば、本発明をよりよく理解することができよう。
【発明を実施するための最良の形態】
【００２１】
図１乃至図７から理解されるように、本発明のレンズ付属物５は、螺合付属物リング９０を使用して、カメラのレンズに固定することができる。付属物リング９０は、一般にカメラレンズの末端に設けられる取付け用リング上に螺着することができる。付属物リング９０は、フレーム要素２０に連結され、フレーム要素２０は、付属物リング９０に対して回動させることができる。図２に示す固定用切欠き部７０は、付属物リング９０と一体で形成され、本発明のレンズ付属組立体をカメラレンズに固定する助けとなる。
【００２２】
レンズ付属物５の主な要素は、フレーム２０、レンズハウジング３０、およびデバイスカバー１０である。フレーム２０は、遮光材としての性能を最大にするために、必要に応じてデバイスカバー１０の位置を変えるために、付属物リング９０に対して回動可能である。
【００２３】
図１に示すように、ピン８０は、デバイスカバー１０およびレンズハウジング３０をフレーム２０にヒンジで取り付け、デバイスカバー１０およびレンズハウジング３０を跳ね上げ、カメラレンズの邪魔にならないようにすることができる。レンズハウジング３０は、レンズ要素５０を固定する保持リング４０を備える。
【００２４】
レンズ付属物を所望の開いた、または閉じた位置で維持する際に助けとするために、複数の磁性片６０を、デバイスカバー１０、レンズハウジング３０、およびフレーム２０の設計に組み込むことができる。
【００２５】
図３は、完全に閉じた位置にある本発明のレンズ付属物を示し、レンズハウジング３０およびレンズカバー１０が共にカメラレンズ（図示せず）を覆う位置にある。この閉じた位置で、デバイスカバー１０は、カメラレンズを汚れまたは他の損傷から保護する。
【００２６】
図４は、部分的に開いた位置にある本発明のレンズ付属物を示し、デバイスカバー１０は跳ね上げられ、レンズハウジング３０は、カメラレンズを覆う定位置にある。この位置で、デバイスカバー１０は遮光材として機能し、フレーム２０の周りで所望の位置に回動させることができる。
【００２７】
図５では、デバイスカバー１０およびレンズハウジング３０が共に、フレーム２０に対して跳ね上げられて示されている。この位置で、レンズ付属物は、カメラレンズに対して位置の調節が可能な遮光材として機能する。レンズ付属物はまた、レンズ要素５０を、カメラレンズの光軸から離して枢動させる。
【００２８】
図６では、複数の磁性片６０の可能な取付け位置をより明確に示すために、デバイスカバー１０およびレンズハウジング３０が、互いに、またフレーム２０から離して示されている。磁性片６０によってもたらされる引力は、デバイスカバー１０およびレンズハウジング３０を所望の位置で維持する上で助けとなる。
【００２９】
図７では、追加の遮光材、即ち、サイドカバー１２が示されている。このような追加の遮光材、即ち、サイドカバー１２は、ピン８０によってフレーム２０に結合することができ、サイドカバー１２を遮光材として機能するように必要に応じて位置決めすることを可能にする。ガイドピン１１０およびガイドスロット（案内細長孔）１２０によってコントロール（展開制御）される展開可能パネル１００は、サイドカバー１２に結合され、カメラレンズを周辺光から遮蔽する能力をより大きくすることができる。ガイドピン１１０およびガイドスロット１２０は、パネル１００を必要に応じて展開し、したがって、遮光材の有効性を高めることを可能にする。
【００３０】
以上、本発明による、一体型レンズ付属物、遮光材、およびカメラレンズカバーの様々な特定の構成について、本発明を有利に使用することができる形で例示するために述べたが、本発明がそれらに限定されないことを理解されたい。したがって、当業者が考えることのできるあらゆる任意の修正形態、変形形態、または均等の構成も、添付の特許請求の範囲で規定する本発明の範囲内にあると見なすべきである。
【図面の簡単な説明】
【００３１】
【図１】レンズカバー構成要素が完全に閉じた位置にある本発明のレンズ付属物の正面図である。
【図２】閉じた位置にある本発明の後面図である。
【図３】閉じた位置にある本発明の側部断面図である。
【図４】レンズハウジングが閉じた位置にありレンズカバー構成要素が開いた位置または遮光する位置にある本発明の側部断面図である。
【図５】レンズハウジングが開いた位置にあるレンズカバー構成要素に接触する本発明の側面断面図である。
【図６】レンズカバー構成要素が開いた位置にあり、レンズハウジングがレンズカバー構成要素とフレーム要素との間に位置する開いた位置にある本発明の側部断面図である。
【図７】追加の遮光材構成要素が性能を追加するための展開可能パネルを使用する本発明の斜視図である。
【図１】
2005523471.tif 000003
【図２】
2005523471.tif 000004
【図３】
2005523471.tif 000005
【図４】
2005523471.tif 000006
【図５】
2005523471.tif 000007
【図６】
2005523471.tif 000008
【図７】
2005523471.tif 000009
【国際調査報告】
2005523471.tif 000010